【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
有機発光部材、特に、有機発光ダイオードであって、
上記有機発光部材は、発光素子（１、２）と、上記発光素子（１、２）に取り囲まれた発光面（１ｆ、２ｆ）とを有し、
上記発光面（１ｆ、２ｆ）は、電極（１ａ、２ａ）、背面電極（１ｄ、２ｄ）、および、有機層の積層構造（１ｅ、２ｅ）によって形成されており、
上記有機層の積層構造（１ｅ、２ｅ）は、上記電極（１ａ、２ａ）と上記背面電極（１ｄ、２ｄ）との間に配置され、上記電極（１ａ、２ａ）と上記背面電極（１ｄ、２ｄ）とに電気的に接触しており、
上記有機層の積層構造（１ｅ、２ｅ）の部分であって、上記発光面（１ｆ、２ｆ）の領域に配置され、上記電極（１ａ、２ａ）および背面電極（１ｄ、２ｄ）に電圧を印加する場合に光を放射する、当該部分は、単一の有機材料構成を有するとともに、
上記部分は、複数の電気的に並列接続された、上記電極（１ａ、２ａ）の部分電極（１ｂ、２ｂ）上に形成されており、
上記部分電極（１ｂ、２ｂ）は、一方において端部が互いに電気的に接続され、
上記部分電極（１ｂ、２ｂ）では、隣接する部分電極（１ｂ、２ｂ）間の横方向の間隔が、隣接する部分電極（１ｂ、２ｂ）の幅よりも小さい、有機発光部材。
【請求項２】
上記隣接する部分電極（１ｂ、２ｂ）間の横方向の間隔は、上記隣接する部分電極（１ｂ、２ｂ）の幅の半分よりも小さいことを特徴とする、請求項１に記載の有機発光部材。
【請求項３】
上記隣接する部分電極（１ｂ、２ｂ）間の横方向の間隔は、上記隣接する部分電極（１ｂ、２ｂ）の幅の１／３よりも小さいことを特徴とする、請求項１または請求項２に記載の有機発光部材。
【請求項４】
上記複数の部分電極（１ｂ、２ｂ）は、ストライプ電極として形成されていることを特徴とする、請求項１〜３のいずれか１項に記載の有機発光部材。
【請求項５】
上記ストライプ電極は、直線に伸びて形成されていることを特徴とする、請求項４に記載の有機発光部材。
【請求項６】
上記発光面（１ｆ、２ｆ）の領域内の上記有機層の積層構造（１ｅ、２ｅ）は、ほぼ貫通して形成されていることを特徴とする、請求項１〜５のいずれか１項に記載の有機発光部材。
【請求項７】
上記電極（１ａ、２ａ）の複数の上記部分電極（１ｂ、２ｂ）の数は、少なくとも１０、より好ましくは少なくとも３０、さらに好ましくは少なくとも１００であることを特徴とする、請求項１〜６のいずれか１項に記載の有機発光部材。
【請求項８】
上記発光素子（１、２）の最大作動電圧は、１０Ｖ未満、より好ましくは６Ｖ未満、さらに好ましくは４Ｖ未満であることを特徴とする、請求項１〜７のいずれか１項に記載の有機発光部材。
【請求項９】
上記発光面（１ｆ、２ｆ）の領域内の最大作動輝度は、少なくとも５００ｃｄ／ｍ２、より好ましくは少なくとも１０００ｃｄ／ｍ２、さらに好ましくは少なくとも５０００ｃｄ／ｍ２であることを特徴とする、請求項１〜８のいずれか１項に記載の有機発光部材。
【請求項１０】
上記複数の部分電極（１ｂ、２ｂ）は、それぞれ、シート抵抗と幅との積が、１０〜１０００ｍｍ＊オーム／□、好ましくは１００〜１０００ｍｍ＊オーム／□となるような、シート抵抗と上記幅とを有していることを特徴とする、請求項１〜９のいずれか１項に記載の有機発光部材。
【請求項１１】
上記発光面（１ｆ、２ｆ）と平面状に重なるように、光散乱素子が形成されていることを特徴とする、請求項１〜１０のいずれか１項に記載の有機発光部材。
【請求項１２】
上記光散乱素子は、光を散乱する基板を含んでおり、該基板上に、上記電極（１ａ、２ａ）、背面電極（１ｄ、２ｄ）、および、有機層の積層構造（１ｅ、２ｅ）が堆積されていることを特徴とする、請求項１１に記載の有機発光部材。
【請求項１３】
上記光散乱素子は、散乱膜を含んでいることを特徴とする、請求項１１または請求項１２に記載の有機発光部材。
【請求項１４】
上記発光素子（１、２）は、透明発光素子、上面放出型発光素子、下面放出型発光素子、および、両面放出型発光素子からなる群より選ばれた少なくともひとつの構造を有することを特徴とする、請求項１〜１３のいずれか１項に記載の有機発光部材。
【請求項１５】
上記発光面（１ｆ、２ｆ）は、数平方センチメートルの面積を有することを特徴とする、請求項１〜１４のいずれか１項に記載の有機発光部材。
【請求項１６】
上記有機層の積層構造（１ｅ、２ｅ）は、１つまたは複数のドープされた電荷キャリア輸送層を有することを特徴とする、請求項１〜１５のいずれか１項に記載の有機発光部材。
【請求項１７】
上記発光素子（１）は、同一の構造を有する少なくとも１つのさらなる発光素子（２）と電気的に直列接続されていることを特徴とする、請求項１〜１６のいずれか１項に記載の有機発光部材。
【請求項１８】
上記発光素子は、同一の構造を有する少なくとも１０個のさらなる発光素子、より好ましくは少なくとも２７個のさらなる発光素子、さらに好ましくは少なくとも５５個のさらなる発光素子と電気的に直列接続されていることを特徴とする、請求項１７に記載の有機発光部材。
【請求項１９】
隣接する発光素子（１、２）の上記背面電極（１ｄ、２ｄ）の２つの互いに隣接して形成された端部断面間の間隔は、上記複数の部分電極（１ｂ、２ｂ）のそれぞれの幅よりも大きく、より好ましくは上記複数の部分電極（１ｂ、２ｂ）のそれぞれの幅の３倍よりも大きく、さらに好ましくは上記複数の部分電極（１ｂ、２ｂ）のそれぞれの幅の１０倍よりも大きいことを特徴とする、請求項１７または請求項１８に記載の有機発光部材。
【請求項２０】
請求項１〜１９のいずれか１項に記載の有機発光部材の、照明装置または広告装置としての使用。
【請求項２１】
有機発光部材、特に、有機発光ダイオードの、電極の構造であって、
複数の電気的に並列接続された部分電極（１ｂ、２ｂ）を含み、
上記複数の部分電極（１ｂ、２ｂ）は、一方において端部が互いに電気的に接続され、
隣接する部分電極（１ｂ、２ｂ）間の横方向の間隔が、隣接する部分電極（１ｂ、２ｂ）の幅よりも小さい、電極の構造。
【請求項２２】
上記隣接する部分電極（１ｂ、２ｂ）間の横方向の間隔は、隣接する部分電極（１ｂ、２ｂ）の幅の半分よりも小さいことを特徴とする、請求項２１に記載の、電極の構造。
【請求項２３】
上記隣接する部分電極（１ｂ、２ｂ）間の横方向の間隔は、隣接する部分電極（１ｂ、２ｂ）の幅の３分の１よりも小さいことを特徴とする、請求項２１または請求項２２に記載の、電極の構造。
【請求項２４】
上記複数の部分電極（１ｂ、２ｂ）は、ストライプ電極として形成されていることを特徴とする、請求項２１〜２３のいずれか１項に記載の、電極の構造。
【請求項２５】
上記ストライプ電極は、直線に伸びて形成されていることを特徴とする、請求項２４に記載の、電極の構造。
【請求項２６】
上記電極（１ａ、２ａ）の複数の上記部分電極（１ｂ、２ｂ）の数は、少なくとも１０、より好ましくは少なくとも３０、さらに好ましくは少なくとも１００であることを特徴とする、請求項２１〜２５のいずれか１項に記載の、電極の構造。
【請求項２７】
上記複数の部分電極（１ｂ、２ｂ）は、それぞれ、シート抵抗とその幅との積が、１０〜１０００ｍｍ＊オーム／□、好ましくは１００〜１０００ｍｍ＊オーム／□となるような、シート抵抗と上記幅とを有していることを特徴とする、請求項２１〜２６のいずれか１項に記載の、電極の構造。
【手続補正２】
【補正対象書類名】明細書
【補正対象項目名】発明の名称
【補正方法】変更
【補正の内容】
【発明の名称】有機発光部材、その使用、及び、その電極の構造